(57)【要約】      （修正有）【課題】雑草やつる類の巻き込みを防止する草刈機における草の巻き付き防止具であって、しかも、既存の草刈機にも容易に装着できる草刈機における草及び蔓の巻付防止カッター具を提供する。【解決手段】草刈機本体Ｘにおいて、本体の円板状の回転刃Ｙ上面側に、適宜な幅と長さを有し、中央に穴を有する帯状材１であって、帯状材の両端を上部に向けた突起状のカッター１ａ，１ａ′を設ける。草刈機本体の長尺の柄部Ｚであって、回転刃近傍に、支持部材２を固定手段５で固定し、支持部材には、回転刃の軸部に巻きつく草や蔓を、カッターでカットする際補助するストッパーブレード３と、ストッパーブレードの後部には、巻きつく草や蔓を、軸部、並びに、カッター方向に導く誘導部材４を設け、円板状の回転刃には、既存の草刈機本体の取付けナットの軸径に応じた径のワッシャを設けた。【選択図】図６
0003190973.tif 000002
【実用新案登録請求の範囲】
【請求項１】
草刈機本体（Ｘ）において、
該本体（Ｘ）の円板状の回転刃（Ｙ）上面側に、
適宜な幅と長さを有し、中央に穴（１ｂ）を有する帯状材（１）であって、該帯状材（１）の両端を上部に向けた突起状のカッター（１ａ，１ａ′）を設け、
前記草刈機本体（Ｘ）の長尺の柄部（Ｚ）であって、前記回転刃（Ｙ）近傍に、支持部材（２）を固定手段（５）で固定し、
該支持部材（２）には、回転刃（Ｙ）の軸部（Ａ）に巻きつく草や蔓を、前記カッター（１ａ，１ａ′）でカットする際補助するストッパーブレード（３）と、該ストッパーブレード（３）の後部には、巻きつく草や蔓を、軸部（Ａ）、並びに、カッター（１ａ，１ａ′）方向に導く誘導部材（４）を設け、
前記円板状の回転刃（Ｙ）には、既存の草刈機本体（Ｘ）の取付けナットの軸径に応じた径のワッシャ（６）を設けた
ことを特徴とする草刈機における草及び蔓の巻付防止カッター具。
【請求項２】
前記帯状材（１）が、焼入れしたバネ鋼、あるいはステンレス製から選ばれたことを特徴とする請求項１記載の草刈機における草及び蔓の巻付防止カッター具。
【請求項３】
前記誘導部材（４）の先端部を、軸部（Ａ）側，即ち、内側に曲げて設けたことを特徴とする請求項１記載の草刈機における草及び蔓の巻付防止カッター具。
【考案の詳細な説明】
【技術分野】
【０００１】
この考案は、草刈機における草及び蔓の巻付防止カッター具に関するものであり、特に、既存の草刈機に簡単に装着できるカッター具である。
【背景技術】
【０００２】
従来、民家の庭や畠、あるいは野山に生える雑草や蔓植物は、刈り取っても次から次に生え、しかも日に日に成長してしまい、それらを刈り取る作業は大変な重労働であった。  
【０００３】
そのため、先端に、動力源で稼働する回転刃を有する草刈機が存在し、立った状態で草刈り作業が行なえるため、作業効率がよく、大変便利なものではあるが、この草刈機も重大な欠点を有している。
【０００４】
回転刃の上面に、草刈機本体の回転部分に、草や蔓等が巻きつき、やがては軸部に巻き込んだ状態となり、回転刃の回転が不可能となり、故障の原因となっていた。
【考案の概要】
【考案が解決しようとする課題】
【０００５】
そこで、この考案の課題は、雑草やつる類の巻き込みを防止する草刈機における草の巻き付き防止具であって、しかも、既存の草刈機にも用意に装着できる草刈機における草及び蔓の巻付防止カッター具を開発・提供することにある。
【課題を解決するための手段】
【０００６】
そこでこの考案は、上記の課題を解決すべく、鋭意研究を重ねた結果、開発された草刈機における草及び蔓の巻付防止カッター具である。
【考案の効果】
【０００７】
この考案によると、回転刃の上面で、回転軸に巻きつこうとする草及び蔓は、回転軸付近で回転するカッター（１ａ，１ａ′）によってカットし、かつ、軸部（Ａ）とカッター（１ａ，１ａ′）との間にストッパーブレード（３）を設けたため、スムーズに草や蔓をカットでき、回転部分を草や蔓から保護する等の効果を有する。
【０００８】
さらに、この考案によると、前記ストッパーブレード（３）の後方に、誘導部材（４）を設け、該誘導部材（４）の下部を内側に曲げて形成することにより、回転刃（Ｙ）に近づく回転刃上面の草や蔓を、回転軸方向，カッター方向に誘導してカットし易くする等の効果を奏する。
【図面の簡単な説明】
【０００９】
【図１】この考案の一実施例を示し、（Ａ）は、草刈機に装着した状態の一部欠截平面図であり、（Ｂ）は、草刈機に装着した状態の一部欠截正面図である。
【図２】この考案の一実施例を示し、（Ａ）は、草刈機に装着した状態の一部欠截側面図であり、（Ｂ）は、図２（Ａ）中のａ方向から見た一部の拡大側面図である。
【図３】図２（Ａ）中のｂ方向から見た拡大底面図である。
【図４】この考案に使用するカッター部の一実施例を示し、（Ａ）は、平面図であり、（Ｂ）は、正面図である。
【図５】この考案に使用する支持部の一実施例を示し、（Ａ）は、平面図であり、（Ｂ）は、側面図である。
【図６】この考案の使用状態を示す一部欠截斜視図である。
【考案を実施するための形態】
【００１０】
以下、この考案について詳細に説明する。尚、この考案においては、以下の記述に限定されるものではなく、この考案の要旨を逸脱しない範囲においては適宜変更可能である。
【実施例】
【００１１】
次に、この考案の一実施例を図面に従って詳述すると、草刈機本体（Ｘ）において、該本体（Ｘ）の円板状の回転刃（Ｙ）上面側に、適宜な幅と長さを有し、中央に穴（１ｂ）を有する帯状材（１）であって、該帯状材（１）の両端を上部に向けた突起状のカッター（１ａ，１ａ′）を設け、前記草刈機本体（Ｘ）の長尺の柄部（Ｚ）であって、前記回転刃（Ｙ）近傍に、支持部材（２）を固定手段（５）で固定し、該支持部材（２）には、回転刃（Ｙ）の軸部（Ａ）に巻きつく草や蔓を、前記カッター（１ａ，１ａ′）でカットする際補助するストッパーブレード（３）と、該ストッパーブレード（３）の後部には、巻きつく草や蔓を、軸部（Ａ）、並びに、カッター（（１ａ，１ａ′）方向に導く誘導部材（４）を設け、前記円板状の回転刃（Ｙ）には、既存の草刈機本体（Ｘ）の取付けナットの軸径に応じた径のワッシャ（６）を設けた草刈機における草及び蔓の巻付防止カッター具から構成される。
【００１２】
尚、前記円板状の回転刃（Ｙ）は、その一例としてはチップソーであり、前記帯状材（１）が、焼入れしたバネ鋼であったり、ステンレス製で構成することにより、堅牢であり、あるいは錆から保護でき、さらに、カッター（１ａ，１ａ′）は、横断面は、前記円板状の回転刃（Ｙ）と同心円状の円弧状に形成することにより、安定よく作業できる草刈機における草及び蔓の巻付防止カッター具である。
【００１３】
さらに、前記誘導部材（４）の先端部を、軸部（Ａ）側，即ち、内側に曲げて設けたこと草刈機における草及び蔓の巻付防止カッター具である。
【００１４】
また、支持部材（２）は、先端部と後端部を円弧状に形成することにより柄（Ｚ）の外周面と密着して固定でき、さらに、支持部材（２）にそれぞれ取り付けるストッパーブレード（３）と誘導部材（４）は、溶接等の固定手段により堅牢に固着されている。
【００１５】
さらに、前記固定手段（５）の一例としては、金属製のホースバンドであり、該バンドで、支持部材（２）と柄部（Ｚ）とを、堅牢に締め付け固定するものであり、また、ワッシャー（６）は、既存の草刈機の軸部（Ａ）の径が異なる場合もあるため、それに合わせて穴径が１０ｍｍ，１２ｍｍ等の数種類のワッシャーを備えておくものである。
【産業上の利用可能性】
【００１６】
この考案の草刈機における草及び蔓の巻付防止カッター具の技術を確立し、実施することにより、産業上利用できるものである。
【符号の説明】
【００１７】
１  帯状材
１ａ，１ａ′カッター
１ｂ  穴
２  支持部材
３  ストッパーブレード
４  誘導部材
５  固定手段
６  ワッシャー
Ａ  軸部
Ｘ  草刈機本体
Ｙ  回転刃
Ｚ  柄部
【図１】
0003190973.tif 000003
【図２】
0003190973.tif 000004
【図３】
0003190973.tif 000005
【図４】
0003190973.tif 000006
【図５】
0003190973.tif 000007
【図６】
0003190973.tif 000008